(57)【要約】【課題】ゲーベルトップ型の容器に容易にかつ安定して取り付けることができるとともに、容器に取り付けられた際に収容部の内部を常に衛生的な状態に保つことができるカップ、及びカップ付容器を提供する。【解決手段】傾斜屋根部１１１とトップシール部１１３とを有し、傾斜屋根部１１１に内容物が注出される注出口部材１１４を有するゲーベルトップ型の容器１００に着脱可能なカップ１であり、カップ１は、底部１１と胴部１２とを有する有底筒状の収容部１０と、胴部１２から外方へ延設される把持部２０と、を備え、把持部２０は、天部２１と、側部２２とを有するとともに、天部２１から側部２２に延びる切り欠きによって形成される係止部２３を更に有し、係止部２３にトップシール部１１３が挿し込まれ、収容部１０が開口端部１５の側から注出口部材１１４に嵌合して、容器１００に取り付けられるように構成されている。【選択図】図８
2017003396.tif 000002
【特許請求の範囲】
【請求項１】
上部に傾斜屋根部とトップシール部とを有し、前記傾斜屋根部に内容物が注出される注出口部材を有するゲーベルトップ型の容器に着脱可能なカップであり、
前記カップは、底部と胴部とを有する有底筒状の収容部と、前記胴部から外方へ延設される把持部と、を備え、
前記把持部は、前記収容部の開口端部の側に位置する天部と、前記天部から前記底部の側へ延びる側部とを有するとともに、前記天部から前記側部に延びる切り欠きによって形成される係止部を更に有し、
前記係止部に前記トップシール部が挿し込まれ、前記収容部が前記開口端部の側から前記注出口部材に嵌合して、前記容器に取り付けられるように構成されていることを特徴とする、カップ。
【請求項２】
前記係止部は、前記収容部の側に位置する第１の切り欠き面と、前記第１の切り欠き面と対向する第２の切り欠き面とを有し、
前記容器に取り付けられた際に、
前記第２の切り欠き面に前記トップシール部が当接するとともに、
前記収容部の中で、前記把持部とは反対側の内側面に前記注出口部材の少なくとも一部が当接することを特徴とする、
請求項１に記載のカップ。
【請求項３】
前記開口端部を結ぶ面と、前記第２の切り欠き面とのなす角の鈍角側の角度は、前記注出口部材を有する前記傾斜屋根部と、前記トップシール部とのなす角の角度よりも小であることを特徴とする、
請求項２に記載のカップ。
【請求項４】
前記胴部は、前記把持部の延設方向の幅に対して、前記延設方向と直交する方向の幅が大であることを特徴とする、
請求項１乃至３のいずれか１項に記載のカップ。
【請求項５】
前記収容部は、計量用の目盛を有することを特徴とする、
請求項１乃至４のいずれか１項に記載のカップ。
【請求項６】
ゲーベルトップ型の前記容器が、液体口腔用組成物、入浴剤組成物、洗浄剤組成物、柔軟剤組成物、漂白剤組成物のいずれかを充填するための容器であって、請求項１乃至５のいずれか１項に記載のカップが取り付けられたことを特徴とする、カップ付容器。
【発明の詳細な説明】
【技術分野】
【０００１】
本発明は、容器に着脱可能なカップ、及びカップ付容器に関し、より詳細には、上部に傾斜屋根部とトップシール部とを有し、傾斜屋根部に内容物が注出される注出口部材を有するゲーベルトップ型の容器に着脱可能なカップ、及びカップ付容器に関する。
【背景技術】
【０００２】
従来から、液体や粉体の内容物を収容する容器として、上部に傾斜屋根部とトップシール部とを有し、傾斜屋根部に内容物が注出される注出口部材を有するゲーベルトップ型の容器が知られている。そして、このようなゲーベルトップ型の容器は、緑茶、ウーロン茶、紅茶、コーヒー、果汁、酒などの各種非炭酸飲料の他、しょうゆ、ソース、みりん、塩、こしょうなどの液体や粉体の調味料や、洗口液、液体洗剤、粉末洗剤などを収容する容器としても用いられるようになっている。
【０００３】
ここで、容器の内容物が調味料や洗剤などである場合には、所定の量の内容物を取り出すことが求められることが多く、例えば、計量スプーンなどが用いられる。そして、計量スプーンが容器に添付されて購買者に提供されることもあり、容器に固定させることができる計量スプーンなどが知られている（例えば、特許文献１、特許文献２）。
【０００４】
特許文献１には、計量部及び柄を有する計量スプーンであって、柄は、この柄を厚み方向に貫通する貫通孔を内側に有する枠状部と、この枠状部からその内方に向かって突出する突片とを有し、柄の平面視において、突片の突出方向における突片の先端部及び突片の突出方向に沿う突片の両側縁部のそれぞれと枠状部との間に隙間を有しており、突片と、突片を挟んでその両側に位置する柄の一部分とが、挟み込み係止部として機能する計量スプーンが開示されている。
【０００５】
また、特許文献２には、所定量の内容物を計量する計量部と、頂部が屋根型のゲーベルトップタイプの紙製容器の頂部立上りシール部を挟持固定する柄部と、容器の頂部斜面を押さえる脚部とを有し、容器の頂部コーナー部に着脱可能な計量容器が開示されている。
【先行技術文献】
【特許文献】
【０００６】
【特許文献１】特開２０１０−２５８２７号公報
【特許文献２】実開平０６−３７７１８号公報
【発明の概要】
【発明が解決しようとする課題】
【０００７】
特許文献１の構成によれば、突片と、突片を挟んでその両側に位置する柄の一部分との間に容器の一部を挟み込ませることで、計量スプーンを容器に安定して固定させることができるとされている。
【０００８】
また、特許文献２の構成によれば、ゲーベルトップタイプの紙製容器の頂部コーナー部に容易に着脱可能な構造であり、使用後は容器に再び装着しておくことができ、特別に置き場所が要らず、紛失の心配もなく、使用上便利であるとされている。
【０００９】
ここで、特許文献１における計量スプーンは、容器に固定させるための挟み込み係止部が、矩形の枠状部と枠状部から内方へ突出する突片とから構成されるため、挟み込み係止部の強度が弱く、繰り返し容器に固定した場合などに枠状部や突片が破損する恐れがある。また、特許文献１では、箱状容器における容器本体の周壁部や、ガゼット袋の開封端部を挟み込み係止部の挟み込み対象物とし、それぞれの容器に計量スプーンを固定させることが考慮されているものの、ゲーベルトップ型の容器に固定させることについては何ら考慮がなされていない。
【００１０】
一方、特許文献２における計量容器は、ゲーベルトップ型の容器に着脱可能な構成である。ここで、特許文献２における計量容器は、計量部の内部が外方に露出した状態でゲーベルトップ型の容器に取り付けられるため、輸送時や保管時などに計量部に埃や塵などが入り込むことがあり、非衛生的である。また、特許文献２における計量容器は、正立したゲーベルトップ型の容器に対して水平方向から頂部コーナー部へ挿し込まれることで取り付けられる。ここで、ゲーベルトップ型の容器は、製函から内容物の充填における製造や製造工程間の搬送などは正立した状態で行われる。したがって、特許文献２における計量容器を正立したゲーベルトップ型の容器に取り付ける際には、ゲーベルトップ型の容器を保持する必要があり、例えば、片手で取り付けるといった簡易な方法によって取り付けることができない。したがって、特許文献２における計量容器が取り付けられたゲーベルトップ型の容器の生産性は悪い。
【００１１】
そこで本発明の目的は、ゲーベルトップ型の容器に容易にかつ安定して取り付けることができるとともに、容器に取り付けられた際に収容部の内部を常に衛生的な状態に保つことができるカップ、及びカップ付容器を提供することにある。
【課題を解決するための手段】
【００１２】
上記課題を解決するため、本発明のカップは、
上部に傾斜屋根部とトップシール部とを有し、前記傾斜屋根部に内容物が注出される注出口部材を有するゲーベルトップ型の容器に着脱可能なカップであり、
前記カップは、底部と胴部とを有する有底筒状の収容部と、前記胴部から外方へ延設される把持部と、を備え、
前記把持部は、前記収容部の開口端部の側に位置する天部と、前記天部から前記底部の側へ延びる側部とを有するとともに、前記天部から前記側部に延びる切り欠きによって形成される係止部を更に有し、
前記係止部に前記トップシール部が挿し込まれ、前記収容部が前記開口端部の側から前記注出口部材に嵌合して、前記容器に取り付けられるように構成されていることを特徴とする。
【００１３】
更に、前記係止部は、前記収容部の側に位置する第１の切り欠き面と、前記第１の切り欠き面と対向する第２の切り欠き面とを有し、前記容器に取り付けられた際に、前記第２の切り欠き面に前記トップシール部が当接するとともに、前記収容部の中で、前記把持部とは反対側の内側面に前記注出口部材の少なくとも一部が当接することを特徴とする。
【００１４】
更に、前記開口端部を結ぶ面と、前記第２の切り欠き面とのなす角の鈍角側の角度は、前記注出口部材を有する前記傾斜屋根部と、前記トップシール部とのなす角の角度よりも小であることを特徴とする。
【００１５】
更に、前記胴部は、前記把持部の延設方向の幅に対して、前記延設方向と直交する方向の幅が大であることを特徴とする。
【００１６】
更に、前記収容部は、計量用の目盛を有することを特徴とする。
【００１７】
更に、本発明のカップ付容器は、液体口腔用組成物、入浴剤組成物、洗浄剤組成物、柔軟剤組成物、漂白剤組成物のいずれかを充填するためのゲーベルトップ型の容器に、上述の本発明のカップが取り付けられたことを特徴とする。
【００１８】
ここで、内とは有底筒状の収容部の内部側を示し、外とは有底筒状の収容部の外部側を示すものである。
【発明の効果】
【００１９】
本発明のカップによれば、上部に傾斜屋根部とトップシール部とを有し、前記傾斜屋根部に内容物が注出される注出口部材を有するゲーベルトップ型の容器に着脱可能なカップであり、前記カップは、底部と胴部とを有する有底筒状の収容部と、前記胴部から外方へ延設される把持部と、を備え、前記把持部は、前記収容部の開口端部の側に位置する天部と、前記天部から前記底部の側へ延びる側部とを有するとともに、前記天部から前記側部に延びる切り欠きによって形成される係止部を更に有し、前記係止部に前記トップシール部が挿し込まれ、前記収容部が前記開口端部の側から前記注出口部材に嵌合して、前記容器に取り付けられるように構成されているので、ゲーベルトップ型の容器に容易にかつ安定して取り付けることができるとともに、容器に取り付けられた際に収容部の内部を常に衛生的な状態に保つことができる。
【００２０】
また、請求項２に記載の発明によれば、前記係止部は、前記収容部の側に位置する第１の切り欠き面と、前記第１の切り欠き面と対向する第２の切り欠き面とを有し、前記容器に取り付けられた際に、前記第２の切り欠き面に前記トップシール部が当接するとともに、前記収容部の中で、前記把持部とは反対側の内側面に前記注出口部材の少なくとも一部が当接するので、容器により安定して取り付けることができる。
【００２１】
また、請求項３に記載の発明によれば、前記開口端部を結ぶ面と、前記第２の切り欠き面とのなす角の鈍角側の角度は、前記注出口部材を有する前記傾斜屋根部と、前記トップシール部とのなす角の角度よりも小であるので、トップシール部の弾性力によってカップを容器により安定して取り付けることができる。
【００２２】
また、請求項４に記載の発明によれば、前記胴部は、前記把持部の延設方向の幅に対して、前記延設方向と直交する方向の幅が大であるので、収容部の全高を大きくすることなく、収容部の収容量を増加させることができる。また、収容部を注出口部材に嵌合させやすくなり、カップを容器により容易に取り付けることができる。
【００２３】
また、請求項５に記載の発明によれば、前記収容部は、計量用の目盛を有するので、収容部に注出する内容物を計量することができ、使い勝手が良い。
【００２４】
また、請求項６に記載の発明によれば、液体口腔用組成物、入浴剤組成物、洗浄剤組成物、柔軟剤組成物、漂白剤組成物のいずれかを充填するためのゲーベルトップ型の容器に、上述の本発明のカップが取り付けられたので、容器に容易にかつ安定して取り付けることができるとともに、容器に取り付けられた際に収容部の内部が常に衛生的な状態に保たれるカップを備えるカップ付容器を提供することができる。
【図面の簡単な説明】
【００２５】
【図１】本実施形態に係るカップの一例が示された斜視図である。
【図２】図１のカップの平面図である。
【図３】図１のカップの側面図である。
【図４】図２のＩＶ方向矢視図である。
【図５】カップが取り付けられる容器の一例が示された斜視図である。
【図６】カップが取り付けられる容器の変形例が示された斜視図である。
【図７】カップが容器に取り付けられる直前の状態の一例が示された側面図である。
【図８】カップが容器に取り付けられた状態の一例が示された部分断面図である。
【図９】別の実施形態に係るカップの一例が示された平面図である。
【図１０】図９のカップの側面図である。
【図１１】別の実施形態に係るカップの一例が示された側面図である。
【図１２】図１１のカップが容器に取り付けられた状態の一例が示された部分断面図である。
【図１３】別の実施形態にかかるカップが容器に取り付けられた状態の一例が示された部分断面図である。
【発明を実施するための形態】
【００２６】
以下、図面を参照しつつ、本発明の実施形態を詳細に説明する。まず、本実施形態に係るカップの構成を詳細に説明する。図１は本実施形態に係るカップ１の一例が示された斜視図であり、図２は図１のカップ１の平面図であり、図３は図１のカップ１の側面図であり、図４は図２のＩＶ方向矢視図である。なお、以下では、説明の便宜上、図３における後述する収容部１０側を前とし、把持部２０側を後とし、収容部１０の底部１１側を下とし、収容部１０の開口１３側を上とし、紙面に対して手前側を左とし、奥側を右とする。また、図１は、開口１３の上方側から見た斜視図であり、図４は、把持部２０の後方側から見た側面図である。
【００２７】
図１〜図４に示されるように、本実施形態に係るカップ１は、収容部１０と収容部１０に連設される把持部２０から構成され、把持部２０を中心として左右対称形状である。収容部１０は、底部１１と筒状の胴部１２とを有し、上方が開放された開口１３となる有底筒状である。一方、把持部２０は、天部２１と側部２２とを有し、胴部１２の後側から外方である後方へ延設される。把持部２０は、天部２１から側部２２に延びる切り欠きによって形成される係止部２３を更に有する。なお、詳細については後述するが、カップ１は、後述するするゲーベルトップ型の容器に着脱可能な構成である。そして、カップ１は、容器から取り外し、容器の内容物を収容部１０に注出し、把持部２０を把持して使用することができる。
【００２８】
ここで、底部１１と胴部１２とを有する有底筒状の収容部１０の構成について詳述する。底部１１は、平面視において、長軸が左右方向に延び、短軸が前後方向に延び、左右方向により延伸する左右対称の略楕円形の板状部材である。底部１１の外縁に沿って上方へ向けて略楕円筒状の胴部１２が垂設される。そして、収容部１０は、左右対称の有底略楕円筒状であり、平面視において、把持部２０の延設方向である前後方向の幅に対して、この延設方向と直交する方向である左右方向の幅が大である。
【００２９】
ここで、収容部１０は、把持部２０とは反対側である前側に、胴部１２と底部１１との間に面取りがなされた面取り部１４を有する。面取り部１４は、左右方向に直線状に延びて形成されている。なお、面取り部１４の傾斜角度は、後述する把持部２０の係止部２３に対応している。
【００３０】
また、胴部１２の上端部である収容部１０の開口端部１５は、全周に亘って下方から上方に向かって外方へつば状に拡開しており、その端にはＲ取りがなされている。したがって、収容部１０に注出された内容物を口に入れる際に、唇に対する開口端部１５の口当たりが良好である。
【００３１】
また、開口端部１５は、開口端部１５を結ぶ面と底部１１とが略平行となるように構成されている。したがって、底部１１を接地させた状態において、収容部１０の内部である収容空間にデットスペースが形成されることがない。つまり、収容部１０は、底部１１を接地させた状態において、開口端部１５まで内容物を収容させることができ、使い勝手が良い。
【００３２】
なお、詳細については後述するが、収容部１０は、後述するゲーベルトップ型の容器の注出口部材に対応しており、この容器にカップ１が取り付けられる際に、収容部１０が開口端部１５の側から注出口部材に嵌合するように構成されている。
【００３３】
次に、天部２１と側部２２とを有する把持部２０の構成について詳述する。天部２１は、胴部１２の後側であって、開口端部１５から後方へ延びる板状部材である。天部２１は、平面視において、前後方向に長尺な略矩形状である。天部２１の上側面は、収容部１０の開口端部１５を結ぶ面上に位置している。天部２１の下側面の左右には、それぞれ外縁に沿って下方に向けて延びる板状部材である側部２２、２２がそれぞれ垂設される。そして、左右の側部２２、２２は、側面視において略矩形状であり、それぞれの前端部は、胴部１２の後側に各々連結される。つまり、把持部２０は、胴部１２の後側から外方である後方へ向かって延設され、その鉛直断面は逆Ｕ字状に形成されている（図４参照）。なお、左右の側部２２、２２と胴部１２との連結部は、厚肉に形成されており、この連結部の強度が向上されている。
【００３４】
把持部２０は、天部２１から左右の側部２２、２２に延びる切り欠きによって形成される係止部２３を更に有する。より詳細には、係止部２３は、所定の幅を有し、天部２１の開口端部１５との接合部から左右の側部２２、２２に、下方かつ後方へ向かって直線状に延びる切り欠きによって形成される。そして、係止部２３は、第１の切り欠き面としての前側面２４、第２の切り欠き面としての後側面２５、下側面２６を有する。収容部１０の側である前側に位置する前側面２４と、収容部１０とは反対側である後側に位置して前側面２４と対向する後側面２５は、互いに平行な面であって、前後に延びる鉛直面と直交するとともに、上方から下方へ向けて後方へ傾斜している。下側面２６は、前側面２４と後側面２５に直交する面であり、開口端部１５を結ぶ面と後側面２５との交差部２７から所定の距離を有する位置に形成されている。ここで、上述した収容部１０の面取り部１４は、側面視において、係止部２３の後側面２５と略平行となるように構成されている。
【００３５】
なお、詳細については後述するが、係止部２３は、後述するゲーベルトップ型の容器のトップシール部に対応しており、この容器にカップ１が取り付けられる際に、係止部２３（前側面２４と後側面２５との間）にトップシール部が挿し込まれるように構成されている。
【００３６】
ここで、カップ１は、熱可塑性樹脂からなり、射出成形法によって成形される。したがって、カップ１を高速で製造することができ、製造コストの低減が図れる。なお、カップ１の原料としての熱可塑性樹脂は、収容部１０に容器の内容物を収容できるとともに、手によって把持部２０を把持することができる強度を有し、内容物の品質に影響を与えず、内容物に接触しても衛生的に支障のないものであれば良く、その種類は特に限定されない。例えば、カップ１の原料には、ポリプロピレン、ポリエチレン、ポリエステル、ポリカーボネート、ポリスチレンなどを用いることができる。なお、カップ１の色は特に限定されるものではないが、透明や半透明であることが好ましく、収容部１０に内容物を注出した際に、注出量を容易に確認することができ、使い勝手が良好となる。また、衛生的な観点から、カップ１の表面が抗菌加工されていても良い。更に、カップ１の表面が撥水、撥油加工されていても良く、収容部１０などに注出された内容物が残留しにくく、汚れが防止され、衛生的であり、使い勝手が良好となる。また、カップ１を構成する収容部１０や把持部２０の各部材の厚みや大きさなどは、カップ１を形成する材料に応じて適宜設計するものである。
【００３７】
次に、カップ１が取り付けられる容器について説明する。図５は、カップ１が取り付けられる容器１００の一例が示された斜視図である。なお、図５は、正立した容器１００の上部１１０を上方側から見た斜視図である。容器１００は、紙を基材層とする積層材料から形成される紙容器である。容器１００を構成する積層材料は、外側から順に、外層、紙基材層、内層が積層されたものである。
【００３８】
紙基材層は、主強度材であり、ミルク原紙、純白ロール紙、コート紙、クラフト紙、板紙、加工紙等の各種紙材を用いることができる。紙基材層に用いる紙材の坪量や厚みは特に限定されるものではない。例えば、坪量は、８０〜６００ｇ／m2であり、より好ましくは、１００〜４５０ｇ／m2である。また、厚みは、１１０〜８６０μｍであり、より好ましくは、１４０〜６４０μｍである。
【００３９】
内層は、液体の内容物を保持するとともに、容器の形成時の接着の役割を果たすものである。一方、外層は、容器を保護する役割を果たすものである。そして、内層及び外層には、ヒートシール性を有する熱可塑性樹脂を用いることができる。例えば、ポリエチレンやポリプロピレン等のポリオレフィン系樹脂等を用いることができ、加工性の観点から、低密度ポリエチレン、直鎖状低密度ポリエチレンを用いることが好ましい。なお、内層及び外層の厚みは特に限定されるものではなく、１０〜１２０μｍであり、より好ましくは、２０〜６０μｍである。
【００４０】
なお、容器１００を構成する積層材料は、上述の構成に限定されるものではない。例えば、紙基材層の外側に印刷層を備える構成であっても良い。また、紙基材層の内側に、遮光や酸素等のガスの透過を防止するためのバリア層を備える構成であっても良い。なお、バリア層には、アルミニウム箔、シリカやアルミニウム等の蒸着層が形成された二軸延伸ナイロンフィルム、シリカやアルミニウム等の蒸着層が形成されたポリエチレンテレフタレートフィルム等を用いることができる。
【００４１】
容器１００は、上部１１０と、容器胴部１２０と、容器底部１３０とからなるゲーベルトップ型の容器である。上部１１０は、対向する２つの傾斜屋根部１１１と、対向する２つの折り込み部１１２と、トップシール部１１３とを有する。容器胴部１２０は、４つの側壁部１２１から構成される四角筒状であり、容器底部１３０は、四角形である。
【００４２】
ここで、容器１００は、一方の傾斜屋根部１１１に内容物が注出される注出口部材１１４を更に有する。注出口部材１１４は、上述のカップ１と同様に、熱可塑性樹脂からなり、傾斜屋根部１１１の略中央に外方へ向けて垂設され、傾斜屋根部１１１から突出する部位は略円柱状である。注出口部材１１４は、注出口を有する図示せぬ注出口本体と、注出口本体の注出口を閉塞可能な蓋部１１５とから構成される。注出口本体は、容器１００の内部と連通し、内部を内容物の流路とする円筒状であり、一端が容器１００に固着され、他端が注出口となる。蓋部１１５は、有頂円筒状であり、注出口本体に螺子構造によって着脱可能に取り付けられ、注出口を閉塞するように構成されている。
【００４３】
なお、容器１００は、上述の構成に限定されるものではなく、傾斜屋根部１１１とトップシール部１１３とを有し、傾斜屋根部１１１に注出口部材１１４を有するゲーベルトップ型の容器であれば良い。例えば、容器１００は、図６に示されるように、上部５１０が非対称の変形ゲーベルトップ型であっても良い。ここで、図６は、容器１００の変形例が示された斜視図である。なお、変形例である容器５００は、上述の上部１１０以外の構成は容器１００と同様の構成であり、上部１１０に替わって、上部５１０を有する構成である。また、図６は、上述の図５と同様に、正立した容器５００の上部５１０を上方側から見た斜視図である。
【００４４】
容器５００は、上部５１０と、容器胴部５２０と、容器底部５３０とからなり、上部１２０がトップシール部５１３を基準に非対称である変形ゲーベルトップ型の容器である。上部５１０は、対向する２つの傾斜屋根部５１１Ａ、５１１Ｂと、対向する２つの折り込み部５１２と、トップシール部５１３とを有する。容器胴部５２０は、４つの側壁部５２１から構成される四角筒状であり、容器底部５３０は、四角形である。一方の傾斜屋根部５１１Ａは、他方の傾斜屋根部５１１Ｂに比較して大きな面積を有する。この面積が広い傾斜屋根部５１１Ａには、上述の注出口部材１１４が設けられる。そして、詳細については後述するが、このような変形ゲーベルトップ型の容器５００であっても、容器１００と同様に、カップ１を取り付けることができる。
【００４５】
また、注出口部材１１４は、上述の構成に限定されるものではなく、例えば、蓋部１１５が注出口本体にヒンジを介して連結される構成であっても良く、注出口本体が初期開封時に切除されることで注出口が開封されるように構成される閉塞部材を備える構成であっても良い。
【００４６】
また、容器１００への内容物の充填方法は特に限定されるものではない。例えば、容器１００の上部１１０のトップシール部１１３が開放した接合前の状態において、このトップシール部１１３が開放した開口から内容物を充填する。そして、内容物を充填した後、トップシール部１１３を接合して容器１００を密封する。このようにして、容器１００に内容物が充填された充填体が作製される。容器１００に充填される内容物は、液体や粉体などの流動性を有し、注出口部材１１４から注出が可能なものであれば特に限定されるものではない。例えば、洗口液などの液体口腔用組成物、入浴剤組成物、洗浄剤組成物、柔軟剤組成物、漂白剤組成物とすることができる。また、内容物は、飲料などであっても良く、例えば、緑茶、ウーロン茶、紅茶、コーヒー、果汁、酒などの各種非炭酸飲料の他、しょうゆ、ソース、みりん等の調味料などや、塩、こしょうなどとすることもできる。そして、容器１００に内容物が充填された充填体は、容器１００にカップ１が取り付けられて購買者へ提供される。
【００４７】
次に、カップ１の容器１００への取り付け方法について説明する。なお、ゲーベルトップ型の容器１００と変形ゲーベルトップ型の容器５００におけるカップ１の取り付け方法は同様であり、以下では、容器１００を取り上げて説明し、容器５００についてはその説明を省略する。図７は、カップ１が容器１００に取り付けられる直前の状態の一例が示された側面図であり、図８は、カップ１が容器１００に取り付けられた状態の一例が示された部分断面図である。なお、図８は、カップ１のみ左右中央の鉛直断面で示され、直線Ｌは、注出口部材１１４が設けられる傾斜屋根部１１１に連設される側壁部１２１を通る鉛直線である。
【００４８】
図７に示すように、収容部１０の開口端部１５が下方に位置し、係止部２３としての切り欠きが上下方向に延びて位置する状態、つまり、開口１３が下方を向き、後側面２５が鉛直となるような状態でカップ１を容器１００の上方に位置させる。この際、収容部１０が注出口部材１１４の直上に位置し、係止部２３がトップシール部１１３の直上に位置するようにカップ１を配置させる。
【００４９】
ここで、前側面２４と後側面２５との間隙である係止部２３の幅Ｗ１は、トップシール部１１３の厚みＷ２よりも大である。また、係止部２３の下側面２６から開口端部１５を結ぶ面と後側面２５との交差部２７までの距離Ｄ１は、トップシール部１１３の高さＨよりも大である。また、係止部２３の第２の切り欠き面としての後側面２５と開口端部１５を結ぶ面とのなす角の鈍角側の角度θ１は、注出口部材１１４が設けられた傾斜屋根部１１１とトップシール部１１３とのなす角の角度θ２と略同一である。
【００５０】
次に、係止部２３にトップシール部１１３が挿し込まれるように、より詳細には、係止部２３の前側面２４と後側面２５との間にトップシール部１１３が挿し込まれるようにカップ１を下方へ移動させる。そして、収容部１０の開口端部１５の側から内部に注出口部材１１４が入り込むように、カップ１を下方へ向かって押し込み、図８に示すように、収容部１０を注出口部材１１４に嵌合させることによって、カップ１は容器１００に取り付けられる。
【００５１】
一方、図８に示される状態において、容器１００を手などで保持するとともに、カップ１を上方へ引き上げることで、収容部１０が注出口部材１１４から外れるとともに、係止部２３からトップシール部１１３が引き抜かれ、カップ１が容器１００から取り外される。したがって、カップ１は、ゲーベルトップ型の容器１００に着脱可能な構成である。
【００５２】
ここで、カップ１は、容器１００に取り付けられた際に、第２の切り欠き面としての後側面２５は、トップシール部１１３の中で注出口部材１１４とは反対側の面と当接するように構成されている。また、カップ１は、容器１００に取り付けられた際に、収容部１０の中で把持部２０とは反対側である前側における胴部１２の内周面１６は、注出口部材１１４の中でトップシール部１１３とは反対側、つまり、蓋部１１５の中でトップシール部１１３とは反対側の外周面と当接するように構成されている。
【００５３】
したがって、収容部１０を注出口部材１１４に嵌合させる際に、トップシール部１１３を注出口部材１１４の側にたわませながらカップ１を下方へ向かって押し込むことなる。そして、収容部１０の前側の開口端部１５の側は、注出口部材１１４の中でトップシール部１１３とは反対側の下方に入り込む。この際に、カップ１は、トップシール部１１３の弾性力によって後方に押し戻され、胴部１２の内周面１６が蓋部１１５の外周面と当接される。そして、カップ１は、容器１００から着脱される方向である上下方向において、収容部１０の前側の一部が、注出口部材１１４のトップシール部１１３と反対側に係止されて容器１００に取り付けられる。したがって、カップ１は、前側（収容部１０）と後側（係止部２３）との２箇所が容器１００に支持されて容器１００に取り付けられた状態に維持されるので、カップ１を容器１００に安定して取り付けることができる。
【００５４】
なお、係止部２３の後側面２５から、胴部１２の内周面１６の注出口部材１１４と当接する部位、例えば、開口端部１５の側の当接部２８までの距離Ｄ３は、トップシール部１１３の注出口部材１１４とは反対側の面から当接部２８までの距離Ｄ４以下であることが好ましい。このような構成にすることで、カップ１が容器１００に取り付けられた際に、トップシール部１１３の弾性力によって、胴部１２の内周面１６が蓋部１１５の外周面に押し付けられる状態となる。したがって、カップ１を容器１００により安定して取り付けることができ、カップ１の容器１００に対するがたつきを防止することができる。
【００５５】
また、正立した容器１００の上部１１０に、カップ１を上方から下方へ押し付けることでカップ１を容器１００に取り付けることができるため、その取り付け動作は容易である。例えば、容器１００を保持することなく、片手でカップ１を容器１００に取り付けることができ、使い勝手が良い。また、ゲーベルトップ型の容器は、製函から内容物の充填における製造や製造工程間の搬送などは正立した状態で行われるので、容器１００にカップ１が取り付けられたカップ付容器の生産性は良好であるとともに、この取り付け作業を装置を用いて自動化することも容易にできる。
【００５６】
ここで、係止部２３の第２の切り欠き面としての後側面２５と開口端部１５を結ぶ面とのなす角の鈍角側の角度θ１は、注出口部材１１４が設けられた傾斜屋根部１１１とトップシール部１１３とのなす角の角度θ２と略同一である。つまり、カップ１は、容器１００に取り付けられた際に、開口端部１５の全周が、注出口部材１１４が設けられた傾斜屋根部１１１に当接するように構成されている。したがって、容器１００に取り付けられたカップ１は、収容部１０の開口１３が傾斜屋根部１１１に対向する状態であり、内部が外方に露出した状態ではなく、内部を常に衛生的な状態に保つことができる。更に、収容部１０の開口１３は、開口端部１５の全周が傾斜屋根部１１１に当接することによって閉塞されるので、収容部１０の内部をより衛生的な状態に保つことができる。
【００５７】
なお、角度θ１と角度θ２は略同一であることに限定されるものではない。カップ１を容器１００に安定して取り付ける観点において、角度θ１は角度θ２よりも小であることが好ましい。このような構成にすることで、カップ１が容器１００に取り付けられた際に、トップシール部１１３の弾性力によって、胴部１２の内周面１６が蓋部１１５の外周面に更に押し付けられる状態となる。したがって、カップ１を容器１００により安定して取り付けることができ、カップ１の容器１００に対するがたつきを更に防止することができる。
【００５８】
また、収容部１０の開口端部１５は、全周に亘って外方へつば状に拡開している。したがって、収容部１０の内部に注出口部材１１４が入り込むようにカップ１を下方へ向かって押し込む際に、このつば状に拡開した開口端部１５が誘い込みとなり、収容部１０を注出口部材１１４に嵌合させやすく、カップ１を容器１００に容易に取り付けることができる。また、カップ１を容器１００に繰り返し着脱した際に、開口端部１５に疵が形成されることを防止でき、開口端部１５の口当たりを良好に維持できる。
【００５９】
また、カップ１は、容器１００に取り付けられた際に、直線Ｌより外方に突出しないように構成されている。つまり、図示による説明は省略するが、平面視において、カップ１は容器１００より外方に突出しない状態で取り付けられるように構成されている。したがって、カップ１が取り付けられた複数の容器１００を正立した状態で整列させた際に、カップ１が他の容器１００や他のカップ１に当接することがなく、カップ１が取り付けられた容器１００の積載効率や陳列効率は、カップ１が取り付けられていない容器１００と比較して低下しない。また、輸送時などの際に、カップ１の他部材などへの引っ掛かりによる不用意な容器１００からの外れを防止することができ、カップ１が取り付けられた容器１００の取扱性が優れる。
【００６０】
また、収容部１０は、把持部２０とは反対側の胴部１２と底部１１との間に面取りがなされた面取り部１４を有する。つまり、カップ１が容器１００に取り付けられた際に、外方に位置する部位に面取り部１４を有する。また、この面取り部１４は、係止部２３の後側面２５と略平行になるように構成されているので、カップ１が容器１００に取り付けられた際に、面取り部１４は注出口部材１１４が設けられた傾斜屋根部１１１に連設される側壁部１２１と略平行となる。したがって、カップ１は、カップ１が容器１００に取り付けられた際に、外方に位置する部位に他部材などが引っ掛かりにくい構成であり、輸送時などの際に、不用意な容器１００からの外れを防止することができ、カップ１が取り付けられた容器１００の取扱性が優れる。
【００６１】
また、収容部１０は、左右対称の有底略楕円筒状であり、平面視において、把持部２０の延設方向である前後方向の幅に対して、この延設方向と直交する方向である左右方向の幅が大である。したがって、収容部１０を注出口部材１１４に嵌合させやすく、カップ１を容器１００に容易に取り付けることができる。また、収容部１０の全高を大きくすることなく、更に、把持部２０の形状を変えることなく、収容部１０の左右方向の幅を大きくすることによって収容部１０の収容量を増加させることができ、収容部１０の収容量の設計変更が容易にできる。
【００６２】
なお、係止部２３は、上述の構成に限定されるものではない。係止部２３は、カップ１を容器１００に取り付ける際に、トップシール部１１３が挿し込まれるとともに、第２の切り欠き面としての後側面２５にトップシール部１１３（注出口部材１１４とは反対側の面）が当接するように構成されていれば良く、容器１００の形態に応じて適宜設計できる。例えば、図示による説明は省略するが、係止部２３の幅Ｗ１とトップシール部１１３の厚みＷ２が略同一であり、カップ１を容器１００に取り付ける際に、係止部２３がトップシール部１１３を狭持するような構成としても良い。このような構成にすることで、カップ１を容器１００により安定して固定することができる。
【００６３】
また、係止部２３は、前側面２４が後側面２５と平行でない構成であっても良く、前側面２４や後側面２５の天部２１の側の端部にテーパーを有する構成であっても良い。テーパーを有する構成にすることで、カップ１を容器１００に取り付ける際に、係止部２３にトップシール部１１３を挿し込みやすくなり、カップ１の容器１００への取り付けが容易となる。
【００６４】
また、収容部１０は、上述の構成に限定されるものではない。収容部１０は、カップ１を容器１００に取り付ける際に、開口端部１５の側から注出口部材１１４に嵌合されるように構成されていれば良く、容器１００の形態に応じて適宜設計できる。例えば、収容部１０は、平面視において円形や四角形である有底筒状であっても良く、左右非対称の有底筒状であっても良い。また、収容部１０は、面取り部１４を備えない構成であっても良く、開口端部１５がつば状に拡開しない構成であっても良い。
【００６５】
また、収容部１０は、開口端部１５に外方へ向かって延びる口ばし状の注出溝を形成する構成であっても良く、このような構成にすることで、収容部１０に収容された内容物の注出性が向上し、使い勝手が良い。
【００６６】
また、収容部１０は、カップ１を容器１００に取り付ける際に、把持部２０とは反対側の内側面に注出口部材１１４の少なくも一部が当接するように構成されていれば良く、当接部位は胴部１２の内周面１６に限定されるものではなく、容器１００の形態に応じて適宜設計できる。例えば、収容部１０は、面取り部１４の内側面の一部が注出口部材１１４の一部と当接するように構成されても良い。なお、係止部２３が上述したようにトップシール部１１３を狭持するような構成である場合には、収容部１０は、内側面に注出口部材１１４が当接しないように構成されても良い。
【００６７】
また、収容部１０は、計量用の目盛を有する構成であっても良い。このような構成にすることで、収容部１０に注出する内容物を計量することができ、使い勝手が良い。なお、このような構成とする場合には、カップ１の色を透明や半透明とすることが好ましく、内容物の計量が容易に行える。また、内容物が粉体である場合には、目盛を内容物に応じた重量表示としても良い。
【００６８】
また、把持部２０は、上述の構成に限定されるものではない。把持部２０は、収容部１０の開口端部１５の側に位置する天部２１と、天部２１から底部１１の側へ延びる側部２２とを有するとともに、係止部２３を有し、収容部１０から外方へ延設され、側部２２を把持することができる構成であれば良く、例えば、左右の側部２２、２２の間に補強用のリブを有する構成であっても良い。
【００６９】
また、天部２１は、収容部１０の開口端部１５を結ぶ面上に位置しない構成であっても良いが、開口端部１５を結ぶ面上、または、開口端部１５を結ぶ面よりも下方に位置することが好ましい。このような構成にすることで、カップ１を容器１００に取り付けた際に、天部２１が傾斜屋根部１１１に当接することがなく、カップ１の取り付け不良を防止することができる。
【００７０】
また、把持部２０は、図９、図１０に示されるような構成であっても良い。ここで、図９は、別の実施形態に係るカップ２の一例が示された平面図であり、図１０は図９のカップ２の側面図である。なお、カップ２は、把持部２２０が、ひとつの板状部材である側部２２２からなる構成であり、この把持部２２０の構成以外は、上述のカップ１と同様の形態である。つまり、カップ２は、上述のカップ１の収容部１０と把持部２２０とからなる構成である。
【００７１】
把持部２２０は、鉛直方向に延びる一つの板状部材である側部２２２からなる。側部２２２は、胴部１２の後側から後方へ向かって延び、側面視において略矩形状である。把持部２２０である側部２２２は、上端部である天部２２１を有する。天部２２１は、収容部１０の開口端部１５を結ぶ面上に位置している。そして、側部２２２は、側面視において上述のカップ１の側部２２と同様の形状である。
【００７２】
また、把持部２２０は、天部２２１から側部２２２に延びる切り欠きによって形成される係止部２２３を更に有する。係止部２２３は、第１の切り欠き面としての前側面２２４、第２の切り欠き面としての後側面２２５、下側面２２６を有する。なお、係止部２２３は、上述のカップ１の係止部２３に対応するものであり、その構成についての説明は省略する。つまり、把持部２２０は、天部２２１と側部２２２とを有するとともに、係止部２２３を有し、収容部１０から外方へ延設される構成である。
【００７３】
したがって、カップ２は、上述のカップ１と同様に、ゲーベルトップ型の容器１００に容易にかつ安定して取り付けることができるとともに、容器１００に取り付けられた際に収容部１０の内部を常に衛生的な状態に保つことができるといった効果を有する。また、このような構成にすることで、カップ２を軽量化することができ、生産性が向上する。なお、このような構成にする場合には、把持部２２０の強度を向上させるために、側部２２２の厚みや側部２２２と収容部１０との連結部を、上述のカップ１の側部２２や側部２２と収容部１０との連結部より厚くすることが好ましい。
【００７４】
また、図１１、図１２に示されるような収容部３１０と収容部３１０から外方へ延設される把持部３２０とを有するカップ３であっても良い。ここで、図１１は、別の実施形態に係るカップ３の一例が示された側面図であり、図１２は、カップ３が容器１００に取り付けられた状態の一例が示された部分断面図である。なお、図１２は、上述の図８と同様に、カップ３のみ左右中央の鉛直断面で示される。
【００７５】
収容部３１０は、上述の収容部１０と同様に、底部３１１と筒状の胴部３１２とを有し、上方が開口された開口３１３となる有底筒状である。底部３１１は、長軸が左右方向に延び、短軸が前後方向に延び、左右方向により延伸する左右対称の略楕円形の板状部材である。底部３１１の外縁に沿って上方かつ前方へ向けて略楕円筒状の胴部３１２が連設される。そして、収容部３１０は、前方へ向けて傾斜された左右対称の有底略楕円筒状である。
【００７６】
収容部３１０は、把持部３２０の側である後側には、胴部３１２と底部３１１との間に面取りがなされた面取り部３１４を有する。面取り部３１４は、左右方向に直線状に延びて形成されている。なお、面取り部３１４の傾斜角度は、後述する把持部３２０の係止部３２３に対応している。
【００７７】
胴部３１２の上端部である収容部３１０の開口端部３１５には、Ｒ取りがなされている。また、開口端部３１５は、開口端部３１５を結ぶ面と底部３１１とが略平行となるように構成されている。
【００７８】
なお、収容部３１０の傾斜角度は、カップ３が取り付けられる容器１００の上部１１０に対応しており、注出口部材１１４が設けられた傾斜屋根部１１１とトップシール部１１３とのなす角の角度θ２（図７参照）と略同一である。
【００７９】
把持部３２０は、上述の把持部２２０と同様に、鉛直方向に延びるひとつの板状部材である側部３２２からなる。側部３２２は、胴部３１２の後側から後方へ向かって延びる。側部３２２は、上端部である天部３２１を有する。天部３２１は、収容部３１０の開口端部３１５を結ぶ面上に位置している。また、把持部３２０は、胴部３１２の外周面３１８に沿って、天部３２１から側部３２２に延びる切り欠きによって形成される係止部３２３を更に有する。係止部３２３は、第２の切り欠き面としての後側面３２５、下側面３２６を有する。つまり、把持部３２０は、天部３２１と側部３２２とを有するとともに、係止部３２３を有する構成である。そして、後側面３２５は、胴部３１２の把持部３２０の側の外周面３１８と略平行であり、下側面３２６は、後側面３２５と直交し、面取り部３１４は、下側面３２６と略平行である。なお、係止部３２３における第１の切り欠き面は、胴部３１２の把持部３２０の側の外周面３１８であり、上述のカップ１、２における第１の切り欠き面としての前側面２４、２２４に対応する。
【００８０】
図１２に示すように、このような構成のカップ３は、上述のカップ１と同様に、係止部３２３（後側面３２５と外周面３１８との間）にトップシール部１１３が挿し込まれ、収容部３１０が開口端部３１５の側から注出口部材１１４に嵌合して、容器１００に取り付けられる。そして、カップ３は、容器１００に取り付けられた際に、第２の切り欠き面としての後側面３２５は、トップシール部１１３の注出口部材１１４とは反対側の面と当接する。また、カップ３は、容器１００に取り付けられた際に、収容部３１０の中で、把持部３２０とは反対側である前側における胴部３１２の内周面３１６は、注出口部材１１４のトップシール部１１３とは反対側、つまり、蓋部１１５のトップシール部１１３とは反対側の外周面と当接する。
【００８１】
ここで、係止部３２３の後側面３２５から、胴部３１２の内周面３１６と注出口部材１１４との当接部３２８までの距離Ｄ３３は、トップシール部１１３の注出口部材１１４とは反対側の面から当接部３２８までの距離Ｄ３４以下である。したがって、トップシール部１１３の弾性力によって、胴部３１２の内周面３１６が蓋部１１５の外周面に押し付けられている。
【００８２】
したがって、カップ３は、上述のカップ１やカップ２と同様の効果を有し、ゲーベルトップ型の容器１００に容易にかつ安定して取り付けることができるとともに、容器１００に取り付けられた際に収容部３１０の内部を常に衛生的な状態に保つことができる。また、カップ３は、容器１００に取り付けられた際の容器１００に対するがたつきが防止される。さらに、カップ３は、係止部３２３が収容部３１０の胴部３１２に沿って延びる構成であり、係止部３２３の後側面３２５は、胴部３１２の把持部３２０の側の外周面３１８と略平行である。つまり、上述のカップ１やカップ２と比較して、収容部３１０が係止部３２３まで拡張された構成であり、例えばカップ１の係止部２３と収容部１０との間に位置する把持部２０の部位を収容部１０の一部にした構成である。したがって、カップ３は、上述のカップ１やカップ２と比較して、外形寸法を大きくすることなく収容部３１０の収容量を増加させることができる。なお、把持部３２０の強度を向上させるために、上述のカップ２の把持部２２０と同様に、側部３２２の厚みや側部３２２と収容部３１０との連結部を、上述のカップ１の側部２２や側部２２と収容部１０との連結部より厚くすることが好ましい。
【００８３】
また、図１３に示されるような収容部４１０と収容部４１０から外方へ延設される把持部３２０とを有するカップ４であっても良い。ここで、図１３は、別の実施形態に係るカップ４が容器１００に取り付けられた状態の一例が示された部分断面図である。なお、図１３は、上述の図１２と同様に、カップ４のみ左右中央の鉛直断面で示される。また、カップ４は、収容部４１０の構成以外は上述のカップ３と同様の形態であり、収容部４１０と上述のカップ３の把持部３２０とからなる構成である。
【００８４】
収容部４１０は、上述のカップ３の収容部３１０において、開口端部３１５を結ぶ面と底部３１１とが略平行でない構成である。そして、収容部４１０は、底部４１１と筒状の胴部４１２とを有し、把持部３２０とは反対側である前方へ向けて傾斜された左右対称の有底略楕円筒状である。なお、収容部４１０は、胴部４１２と底部４１１との間に面取りがなされた面取り部を備えない構成であり、底部４１１は、長軸が左右方向に延び、短軸が前後方向に延び、左右方向により延伸する左右対称の略楕円形の板状部材である。
【００８５】
カップ４は、上述のカップ３と同様に、係止部３２３（後側面３２５と外周面４１８との間）にトップシール部１１３が挿し込まれ、収容部４１０が開口端部４１５の側から注出口部材１１４に嵌合して、容器１００に取り付けられる。そして、カップ４は、容器１００に取り付けられた際に、第２の切り欠き面としての後側面３２５がトップシール部１１３と当接し、胴部４１２の内周面４１６が蓋部１１５と当接する。なお、カップ４は、カップ３と同様に、後側面３２５から胴部４１２と蓋部１１５との当接部４２８までの距離が、トップシール部１１３の注出口部材１１４とは反対側の面から当接部３２８までの距離以下である。したがって、カップ４は、上述のカップ３と同様の効果を有し、ゲーベルトップ型の容器１００に容易にかつ安定して取り付けることができるとともに、容器１００に取り付けられた際に収容部３１０の内部を常に衛生的な状態に保つことができる。また、カップ４は、容器１００に取り付けられた際の容器１００に対するがたつきが防止される。
【００８６】
ここで、カップ４は、容器１００に取り付けられた際に、収容部４１０の底部４１１は、上方から下方に向かって、容器１００の傾斜屋根部１１１の傾斜よりも鋭角に前方へ傾斜するように構成されている。したがって、カップ４は収容部４１０に他部材などが引っ掛かりにくい構成であり、輸送時などの際に、不用意な容器１００からの外れを防止することができ、カップ４が取り付けられた容器１００の取扱性が優れるとともに、意匠性も良好である。また、カップ４は、平坦な広い領域としての底部４１１を有する構成であり、例えば、この底部４１１の外側面に広告や容器１００の内容物の情報などを付与することができ、購買者の目を引くなどのアイキャッチ性を向上させることができる。
【００８７】
ここで、カップの寸法は限定されるものでない。カップは、上部に傾斜屋根部とトップシール部とを有し、傾斜屋根部に内容物が注出される注出口部材を有するゲーベルトップ型の容器に着脱可能な寸法であって、収容部が所望の量の内容物を注出させることができる容積を確保できる寸法であれば良い。また、把持部は、指で把持できる大きさの寸法であれば良い。また、カップを構成する各部材の厚みは、射出成形法によって形成することが可能な厚みであり、カップを形成する材料に応じて適宜設計する。
【００８８】
また、以上に説明がなされた本実施形態に係るカップ１、２、３、４などは、矛盾の生じない範囲で自由に組み合わせることができる。例えば、カップ３において、上述のカップ１の把持部２０と同様に、把持部３２０が、平面視において前後方向に長尺な略矩形状の板状部材である天部と、天部の下側面の左右の外縁に沿って下方に向けて垂設され、前端部が胴部３１２に連結される２つの板状部材である側部とから構成されても良い。また、カップ３において、カップ１と同様に、収容部３１０の胴部３１２の開口端部３１５が下方から上方に向かって外方へ拡開する構成であっても良い。
【産業上の利用可能性】
【００８９】
本発明は、上述された実施形態に限定されるものではなく、上部に傾斜屋根部とトップシール部とを有し、傾斜屋根部に内容物が注出される注出口部材を有するゲーベルトップ型のあらゆる容器に着脱可能とされるカップ、及びカップ付容器に適用することができ、特に、１回の使用量が所定の量に定められる内容物を収容するゲーベルトップ型の容器に着脱可能とされるカップ、及びカップ付容器に有用である。
【符号の説明】
【００９０】
１、２、３、４  カップ
１０、３１０、４１０  収容部
１１、３１１、４１１  底部
１２、３１２、４１２  胴部
１４  面取り部
１５、３１５、４１５  開口端部
１６、３１６  内周面
２０、２２０、３２０  把持部
２１、２２１、３２１  天部
２２、２２２、３２２  側部
２３、２２３、３２３  係止部
２４、２２４  前側面（第１の切り欠き面）
２５、２２５、３２５  後側面（第２の切り欠き面）
１００、５００  容器
１１０、５１０  上部
１１１、５１１Ａ、５１１Ｂ  傾斜屋根部
１１３、５１３  トップシール部
１１４  注出口部材
３１８、４１８  外周面
【図１】
2017003396.tif 000003
【図２】
2017003396.tif 000004
【図３】
2017003396.tif 000005
【図４】
2017003396.tif 000006
【図５】
2017003396.tif 000007
【図６】
2017003396.tif 000008
【図７】
2017003396.tif 000009
【図８】
2017003396.tif 000010
【図９】
2017003396.tif 000011
【図１０】
2017003396.tif 000012
【図１１】
2017003396.tif 000013
【図１２】
2017003396.tif 000014
【図１３】
2017003396.tif 000015